(57)【要約】  信号比較制御手段は、入力信号が比較モジュールの処理要求を満たすように、入力信号を前処理することが可能な前処理モジュール（１）と、予め設定された基準信号のパラメータと前処理モジュール（１）の出力信号とを比較し、信号比較結果を判断モジュール（３）に出力する比較モジュール（２）と、トリガー条件が予め設定され、信号比較モジュールの出力した比較結果がトリガー条件を満たすと、電気信号又は比較結果データをトリガー出力する判断モジュール（３）とを備える。当該信号比較制御手段からなる盗難防止警報手段並びに無形電気柵をさらに開示している。当該比較信号制御手段は、実際の適用環境に応じて、誤報を低減し、誤報率を下げることができる。
2016505182.tif 000002
【特許請求の範囲】
【請求項１】
入力信号が比較モジュールの処理要求を満たすように、入力信号を前処理することが可能である前処理モジュールと、
予め設定された基準信号パラメータと前処理モジュールの出力信号パラメータとを比較し、信号比較結果を判断モジュールに出力する比較モジュールと、
トリガー条件が予め設定され、信号比較モジュールの出力した比較結果がトリガー条件を満たすと、電気信号又は比較結果データをトリガー出力する判断モジュールと
を備える、ことを特徴とする信号比較制御手段。
【請求項２】
前記入力信号が、赤外線信号、レーザ光信号、マイクロ波信号、及び超音波信号の中のいずれか一種又は複数種である、ことを特徴とする請求項１に記載の信号比較制御手段。
【請求項３】
前記比較モジュールは、設定されたトリガー条件と、前処理モジュールの出力信号の強度、時間、距離及び温度の中のいずれか一種又は複数種のパラメータとを比較することが可能である、ことを特徴とする請求項２に記載の信号比較制御手段。
【請求項４】
前記判断モジュールの電気信号及び／又は比較結果データを、受信し、処理してから出力する信号出力装置をさらに備える、ことを特徴とする請求項３に記載の信号比較制御手段。
【請求項５】
前記比較モジュールと判断モジュールが、ワンチップコンピュータ又はロジック回路である、ことを特徴とする請求項１に記載の信号比較制御手段。
【請求項６】
固定領域の盗難防止警報のために用いられ、請求項１〜５のいずれか一項の前記信号比較制御手段を備える盗難防止警報手段であって、
検知信号を発生するために用いられ、前記信号比較制御手段の比較モジュールに接続され、前記比較モジュールのために基準信号パラメータを提供する信号発生手段と、
前記信号比較制御手段の前処理モジュールに接続され、前記前処理モジュールのために入力信号を提供し、且つ、前記信号発生手段と組になって対応して設置され、検知信号を受信するために用いられる信号誘導手段と
をさらに備えており、
前記の信号発生手段と信号誘導手段とが、前記固定領域の同じ側に位置しており、一つのメイン基板に集成して製造されることが可能である、ことを特徴とする盗難防止警報手段。
【請求項７】
判断モジュールは、前記比較モジュールが出力した比較結果の変化傾向に応じて侵入方向を判断することが可能である、ことを特徴とする請求項６に記載の盗難防止警報手段。
【請求項８】
前記信号発生手段の判断モジュールは、侵入方向に応じてトリガー条件を設置することが可能である、ことを特徴とする請求項７に記載の盗難防止警報手段。
【請求項９】
前記信号発生手段の発射信号の同一平面内におけるカバー範囲が０度乃至３６０度であり、ここで、カバー範囲が０度乃至１８０度であることが好ましい、ことを特徴とする請求項８に記載の盗難防止警報手段。
【請求項１０】
少なくも２組の対応して設置され前記固定領域の同じ側に位置する信号発生手段と信号誘導手段とを備えており、ここで、２乃至６組の前記の信号発生手段と信号誘導手段とを設置することが好ましい、ことを特徴とする請求項９に記載の盗難防止警報手段。
【請求項１１】
少なくとも一つの請求項７乃至１０のいずれか一項に記載の盗難防止警報手段を備える無形電気柵であって、信号出力装置に接続され、信号比較制御手段と、信号発生手段と、信号誘導手段とに接続され、信号出力装置と信号比較制御手段と、信号発生手段と、信号誘導手段とを制御する制御処理モジュールをさらに備えている、ことを特徴とする無形電気柵。
【請求項１２】
前記制御処理モジュールの制御信号を受信し、信号発生手段が信号を発生するパラメータを調節することが可能である信号強化手段をさらに備えている、ことを特徴とする請求項１１に記載の無形電気柵。
【請求項１３】
前記信号発生手段の発生した信号を信号誘導手段に反射することができる信号反射手段をさらに備えている、ことを特徴とする請求項１２に記載の無形電気柵。
【請求項１４】
前記制御処理モジュールは、前記信号出力装置、信号比較制御手段、信号発生手段及び信号誘導手段と、無線通信で連通することが可能である、ことを特徴とする請求項１２又は１３に記載の無形電気柵。
【発明の詳細な説明】
【技術分野】
【０００１】
本発明は、セキュリティ分野に関し、特に、一種の信号比較制御手段に関するものである。本発明は、前記信号比較制御手段からなる一種の盗難防止警報手段並びに一種の無形電気柵にさらに関するものである。
【背景技術】
【０００２】
現在、住宅又は他の場所、基地では、無形電気柵を取り付けることが、必要不可欠な安全保障の一環となる。実体の柵を設置するかどうかによって分けると、固定領域のために、盗難防止警報サービスを提供する電気柵は、有形と無形とに分けられ、有形の電気柵は、実体の柵と、張力・パルス検出装置とを備え、張力・パルス検出装置は、検知した実体の柵における侵入信号を電気信号に変換して、侵入行為があるかどうかを判別するものであり、無形の電気柵は、実体の柵を設けておらず、室内に取り付けられた受動赤外検出器と室外のアクティブ赤外侵入検出器とに細かく分けられることができ、それは、主に、赤外線信号における急変により、侵入行為があるかどうかを判別するものである。無形電気柵は、固定領域（即ち、盗難防止警報領域であり、それは、無形電気柵信号のカバー可能の領域によって、信号の強さが異なり、固定領域の範囲が異なることになる）に、面カバー式の侵入防止警報サービスを提供することができる。
【０００３】
アクティブ赤外侵入検出器（Ａｃｔｉｖｅ  ｉｎｆｒａｒｅｄ  ｉｎｔｒｕｓｉｏｎ  ｄｅｔｅｃｔｏｒｓ）は、その基本的な構成として、放射端と、受取端と、光束強度表示灯と、光学レンズなどとを備える。その検知原理は、赤外線ＬＥＤ発光ダイオードにより、パルス式の赤外線を放射し、光学鏡面によりフォーカス処理を行って、光線を、遠距離まで伝達させ、受光器によって受光するものである。赤外線パルスビームが遮断されると、警報を発生するようになる。赤外線は、一種のブラックライトであり、分散することが可能なものであり、放射された後に、開始経路に、円錐体の光束が形成され、発射距離が増加するにつれて、その理想強度が発射距離に対して逆２乗で減衰していくようになる。
【０００４】
物体がその検知領域を超えると、赤外線ビームが遮断されて警報を引き起こす。従来のアクティブ赤外侵入検出器は、よく室外の塀の警報に用いられる。アクティブ赤外侵入検出器は、適切なトリガー応答時間を選択する必要があり、応答時間があまり短くなると、無駄な干渉を引き起こしやすくなり、例えば、小鳥が飛び越えたり、葉が舞い落ちたりなどにより、誤警報を引き起こすことになり、あまり長くなると、警報漏れをしやすくなる。また、アクティブ赤外検出センサは、監視される窓、ドア又はベランダの両側に取り付けられる必要があり、当該両側にそれぞれ配線することが必要であり、配線中に、壁を改めて開削する必要があり、このようにすると、ビルや部屋の外観に影響を与えるとともに、製品の取り付け工期が長くなり、工事コストが高くなることになり、使用者の生活に大きい不便を齎すことになる。
【０００５】
受動赤外検出器は、主に、光学システムと、温度センサ（又は、焦電型赤外線センサと称する）と、警報制御器などの部分から構成されるものである。検出器そのものは、如何なるエネルギーを放射せず、環境からの赤外線放射を受動的に受取り、検知するものである。人体の赤外線放射が入ると、光学システムでフォーカスされて、焦電型電気部材に、急変な電気信号を発生させ、警報が発生するようになる。
【０００６】
受動赤外検出器は、アクティブ赤外侵入検出器の取り付け困難な課題を解決したが、一つの新しい問題が生じ、即ち、安定性が悪く、誤報率が高くなり、最も大きな問題は、住む人の室内の正常な活動に影響を与え、活動空間が小さくなるだけではなく、室内の人の活動範囲が制限され、室内警報システムの正常な使用に障害を齎すようになることである。
【先行技術文献】
【特許文献】
【０００７】
【特許文献１】中国特許出願公開第１０１６７６９６３号
【発明の概要】
【発明が解決しようとする課題】
【０００８】
本発明が解決しようとする技術的課題は、誤報率を下げることができる一種の信号比較制御手段を提供することである。本発明は、前記信号比較制御手段からなる一種の盗難防止警報手段並びに一種の無形電気柵をさらに提供する。
【課題を解決するための手段】
【０００９】
上記の技術的課題を解決するために、本発明の信号比較制御手段は、
入力信号が比較モジュールの処理要求を満たすように、入力信号を前処理することが可能である前処理モジュールと、
予め設定された基準信号パラメータと前処理モジュールの出力信号パラメータとを比較し、信号比較結果を判断モジュールに出力する比較モジュールと、
トリガー条件が予め設定され、信号比較モジュールの出力した比較結果がトリガー条件を満たすと、電気信号又は比較結果データをトリガー出力する判断モジュールと
を備える。
【００１０】
さらに改良すると、前記入力信号が、赤外線信号、レーザ光信号、マイクロ波信号、及び超音波信号の中のいずれか一種又は複数種である。
【００１１】
さらに改良すると、前記比較モジュールは、設定されたトリガー条件と、前処理モジュールの出力信号の強度、時間、距離及び温度の中のいずれか一種又は複数種のパラメータとを比較することができる。
【００１２】
さらに改良すると、前記判断モジュールの電気信号及び／又は比較結果データを、受信し処理してから出力する信号出力装置をさらに備える。
【００１３】
さらに改良すると、信号出力装置は、電気信号出力モジュール及び／又はデータ出力モジュールを備えており、それぞれ、前記判断モジュールの電気信号及び／又は比較結果データを処理してから出力する。
【００１４】
ここで、前記電気信号出力モジュールは、ゲートが第１の抵抗Ｒ１を介して電気信号出力端Ａｌａｒｍ  Ｏｕｔとされ、ドレインが第２の抵抗Ｒ２を介して電気信号入力端ＡＭＯ  ＮＯとされ、ソースが接地される第１のＮＭＯＳトランジスタＮＭ１を備えることができる。
【００１５】
ここで、前記データ出力モジュールＵ６は、通信インターフェースチップとすることができ、例えば、ＲＳ４８５インターフェースチップであり、常用型番がＭＡＸ１４８７である。
【００１６】
ここで、前記前処理モジュールは、増幅器ＡＲ１を備えており、
増幅器ＡＲ１には、
その出力端Ａが第３の抵抗Ｒ３を介して前処理モジュールの出力端ＲＣ１とされ、その逆相入力端−が第２のＮＭＯＳトランジスタＮＭ２のドレインに接続され、その正相入力端＋が第４の抵抗Ｒ４を介してその第２の制御端Ｃに接続され、第５の抵抗Ｒ５を介して前処理モジュールの出力端ＲＣ１に接続され、
その第１の制御端Ｂが、第６の抵抗Ｒ６、第７の抵抗Ｒ７、第８の抵抗Ｒ８及び第９の抵抗Ｒ９の一端に接続され、
その第２の制御端Ｃが、第１０の抵抗Ｒ１０、第１１の抵抗Ｒ１１と、第２のＮＭＯＳトランジスタＮＭ２のソースと、第１のフォトダイオードＤ１の正極に接続され、
第６の抵抗Ｒ６と第１０の抵抗Ｒ１０の他端が第１のフォトダイオードＤ１の負極に接続され、第７の抵抗Ｒ７と第１１の抵抗Ｒ１１の他端が、第１２の抵抗Ｒ１２を介して、ＮＭＯＳトランジスタＮＭ１のゲートに接続され、第８の抵抗Ｒ８の他端が第２のＮＭＯＳトランジスタＮＭ２のドレインに接続され、第９の抵抗Ｒ９の他端が増幅器ＡＲ１の正相入力端＋に接続され、
第２のＮＭＯＳトランジスタＮＭ２のゲートが、第２のコンデンサＣ２を介して第１のフォトダイオードＤ１の負極に接続され、
第１のコンデンサＣ１が、第１１の抵抗Ｒ１１の両端に並列接続され、第３のコンデンサＣ３が第３の抵抗Ｒ３の両端に並列接続される。
【００１７】
さらに改良すると、前記の比較モジュールと判断モジュールが、ワンチップコンピュータ又はロジック回路である。
【００１８】
一種の盗難防止警報手段は、固定領域の盗難防止警報のために用いられ、前記いずれか一種の信号比較制御手段を備えており、
検知信号を発生するために用いられ、前記信号比較制御手段の比較モジュールに接続され、前記比較モジュールのために基準信号パラメータを提供する信号発生手段と、
前記信号比較制御手段の前処理モジュールに接続され、前記前処理モジュールのために入力信号を提供し、且つ、前記信号発生手段と組になって対応して設置され、検知信号を受信するために用いられる信号誘導手段と
をさらに備えており、
前記の信号発生手段と信号誘導手段とが、前記固定領域の同じ側に位置しており、一つのメイン基板に集成して製造されることができる。
【００１９】
ここで、前記信号発生手段は、正極が第１３の抵抗Ｒ１３と第４のコンデンサＣ４を介して接地され、負極が第３のＮＭＯＳトランジスタＮＭ３のドレインに接続される第１の発射フォトダイオードＬＥＤ１と、ゲートが第１４の抵抗Ｒ１４を介してＤＲ１（ＤＲ１が駆動端である）に接続され、ソースが接地される第３のＮＭＯＳトランジスタＮＭ３とを備えることができる。
【００２０】
さらに改良すると、前記の信号発生手段と信号誘導手段とが送信し及び受信することができる信号は、赤外線信号、レーザ光信号、マイクロ波信号、及び超音波信号の中のいずれか一種又は複数種である。
【００２１】
さらに改良すると、前記信号発生手段の発射信号の同一平面内におけるカバー範囲が０度乃至３６０度であり、ここで、カバー範囲が０度乃至１８０度であることが好ましい。
【００２２】
さらに改良すると、少なくも２組設置され前記固定領域の同じ側に位置する信号発生手段と信号誘導手段とを備えており、ここで、２乃至６組の前記の信号発生手段と信号誘導手段とを設置することが好ましい。
【００２３】
さらに改良すると、前記判断モジュールは、前記比較モジュールが出力した比較結果の変化傾向に応じて侵入方向を判断することができる。
【００２４】
さらに改良すると、前記信号発生手段の判断モジュールは、侵入方向に応じてトリガー条件を設置することができる。
【００２５】
一種の無形電気柵は、少なくとも一つの前記のいずれか一種の盗難防止警報手段を備えており、前記信号出力装置に接続され、信号比較制御手段と、信号発生手段と、信号誘導手段とに接続され、信号出力装置と信号比較制御手段と、信号発生手段と、信号誘導手段とを制御する制御処理モジュールをさらに備えている。
【００２６】
ここで、前記制御処理モジュールは、ワンチップコンピュータＵ１であり、その第６のポートＸＴ２と第７のポートＸＴ１とがそれぞれ、第５のコンデンサＣ５と第６のコンデンサＣ６とを介して接地され、且つ、水晶振動子ＣＹ１に接続され、その第３のポートＲＳＴが第１５の抵抗Ｒ１５を介して接地され、第７のコンデンサＣ７を介して電源電圧に接続される。
【００２７】
さらに改良すると、前記制御処理モジュールの制御信号を受信し、信号発生手段が信号を発生するパラメータを調節することができる信号強化手段をさらに備えている。
【００２８】
さらに改良すると、前記信号発生手段の発生した信号を信号誘導手段に反射することができる信号反射手段をさらに備えている。
【００２９】
さらに改良すると、無形電気柵の各構成部分に給電するために用いられる太陽エネルギー給電手段をさらに備えている。
【００３０】
さらに改良すると、制御処理モジュールの警報情報を表示することができる表示手段をさらに備えている。
【００３１】
さらに改良すると、前記表示手段は、前記制御処理モジュールと、無線通信で連通することができる。
【００３２】
さらに改良すると、前記制御処理モジュールは、前記信号出力装置、信号比較制御手段、信号発生手段及び信号誘導手段と、無線通信で連通することができる。
【００３３】
本発明により提供される信号誘導手段は、前処理モジュールにより、予め入力信号を前処理し、比較モジュールにより、予め設定された基準信号パラメータと前処理モジュールの出力信号パラメータとを比較し、信号比較結果を判断モジュールに出力し、判断モジュールにより、信号比較モジュールの出力した比較結果と予め設定されたトリガー条件とを比較して判断し、トリガー条件を満たすと、イネーブル信号又は比較結果データをトリガー出力する。本発明の入力信号は、赤外線信号、レーザ光信号、マイクロ波信号、及び超音波信号の中のいずれか一種又は複数種であり、設定されたトリガー条件と、その前処理モジュールの出力信号の強度、時間、距離及び温度の中のいずれか一種又は複数種のパラメータとを比較して（イネーブル信号又は比較結果データを）トリガー出力することができ、入力信号の種類と比較モジュールの比較パラメータの選択配置及び判断モジュールのトリガー条件の設置により、実際の適用環境に応じて誤報を最大限に低減し、誤報率を下げることができる。
【００３４】
本発明により提供される盗難防止警報手段は、固定領域の盗難防止警報のために用いられ、前記信号比較制御手段を備えており、検知信号を発生し前記判断モジュールのために基準信号パラメータを提供する信号発生手段と、検知信号を受信するために用いられ、前記信号比較制御手段の連通する前処理モジュールに接続され、前処理モジュールのために入力信号を提供する信号誘導手段とをさらに備えており、信号発生手段と信号誘導手段とが、前記固定領域の同じ側に位置しており、１組以上の、対応して設置された信号発生手段と信号誘導手段とを有することができ、検知信号の反射手段として周囲環境を利用することができ、一つの専門的な信号反射手段（普通、専門的な信号反射手段を使用する）を設置してもよく、本発明の盗難防止警報手段は、２組以上の信号発生手段と信号誘導手段を設置することにより、検知信号のパラメータの変化傾向により、侵入の発生方向を判断することができ、例えば、信号誘導手段が受信した検知信号は、順に強度の変化（衰弱／強化）、時間の変化（信号を受信した遅延の増加又は減少）、距離の変化及び温度の変化を発生する。本発明により提供される盗難防止警報手段は、侵入方向に応じて前記判断モジュールのトリガー条件を設置して、誤報率を下げる目的を達することができる。
【００３５】
本発明により提供される無形電気柵は、信号発生手段と、信号誘導手段とを固定領域の同じ側に設置し、建築物又は周囲風景により、信号の反射を形成することができ（最適な実施例では、信号発生手段及び信号誘導手段に対応して一つの反射手段を設置することができる）、制御処理モジュールにより、信号比較制御手段、信号発生手段及び信号誘導手段を制御し、構成が簡単で、取り付けが便利である。また、本発明の無形電気柵は、アクティブ検出のモードを採用しており、本発明により提供される信号比較制御手段を採用すれば、誤警報率を下げることができ、よい運転の安定性を有するようになる。
【００３６】
以下、図面と具体的な実施形態に基づき、本発明を、さらに詳細に説明する。
【図面の簡単な説明】
【００３７】
【図１】本発明の信号比較手段の第１の実施例の構成模式図である。
【図２】本発明の前処理モジュールの第１の実施例の構成模式図である。
【図３】本発明の信号比較手段の第２の実施例の構成模式図である。
【図４】本発明の信号比較手段の第３の実施例の構成模式図である。
【図５】本発明の電気信号出力モジュールの第１の実施例の構成模式図である。
【図６】本発明の盗難防止警報手段の第１の実施例の構成模式図である。
【図７】本発明の信号発生手段の第１の実施例の構成模式図である。
【図８】本発明の盗難防止警報手段の第２の実施例の構成模式図である。
【図９】本発明の無形電気柵の第１の実施例の構成模式図である。
【図１０】本発明の制御処理モジュールの一実施例の構成模式図である。
【図１１】本発明の無形電気柵の第２の実施例の構成模式図である。
【図１２】本発明の無形電気柵の第４の実施例の構成模式図である。
【図１３】本発明の無形電気柵の第５の実施例の構成模式図である。
【図１４】本発明の無形電気柵の取り付け模式図１である。
【図１５】本発明の無形電気柵の取り付け模式図２である。
【発明を実施するための形態】
【００３８】
説明する必要があるのは、本発明の電気柵は、実体の柵と、張力・パルス検出装置とを備えておらず、反射信号の急変により侵入行為があるかどうかを判別し、従って、それを、無形電気柵と命名する。
【００３９】
図１に示すように、一種の信号比較制御手段の第１の実施例であり、
入力信号が比較モジュールの処理要求を満たすように、入力信号を前処理することができ、ここで、前記入力信号が、赤外線信号、レーザ光信号、マイクロ波信号、及び超音波信号の中のいずれか一種又は複数種である前処理モジュール１と、
予め設定された基準信号パラメータ（当該基準信号パラメータは、予め設定されてもよいし、他の装置から提供されてもよい）と前処理モジュール１の出力信号パラメータとを比較し、信号比較結果を判断モジュール３に出力する比較モジュール２であって、前記比較モジュール２が設定された基準信号パラメータと、前処理モジュール１の出力信号の強度、時間、距離及び温度の中のいずれか一種又は複数種のパラメータとを比較することができる比較モジュール２と、
トリガー条件が予め設定され、比較モジュール２の出力した比較結果がトリガー条件を満たすと、電気信号又は比較結果データをトリガー出力する判断モジュール３とを備える。
【００４０】
ここで、処理簡素化又は低コスト化の要求に応じて、比較モジュール２と判断モジュール３が、ワンチップコンピュータ又はロジック回路を採用して実現されることができる。この場合、距離測定精度が大幅に低減することになる。
【００４１】
図２に示すように、本発明の前処理モジュール１の第１の実施例は、増幅器ＡＲ１を備えており、
増幅器ＡＲ１には、
その出力端Ａが第３の抵抗Ｒ３と第５の抵抗Ｒ５により分圧されてから前処理モジュールの出力端ＲＣ１とされ、Ｃ３がスピードアップコンデンサとされ、その逆相入力端−が第２のＮＭＯＳトランジスタＮＭ２のドレインに接続され、その正相入力端＋が第４の抵抗Ｒ４を介して第２の制御端Ｃ（電源グランド）に接続され、
増幅器ＡＲ１には、その出力端Ａが第３の抵抗Ｒ３を介して前処理モジュールの出力端ＲＣ１とされ、その逆相入力端−が第２のＮＭＯＳトランジスタＮＭ２のドレインに接続され、その正相入力端＋が第４の抵抗Ｒ４を介してその第２の制御端Ｃに接続され、第５の抵抗Ｒ５を介して前処理モジュールの出力端ＲＣ１に接続され、
その第１の制御端Ｂが、第６の抵抗Ｒ６、第７の抵抗Ｒ７、第８の抵抗Ｒ８及び第９の抵抗Ｒ９の一端に接続され、
その第２の制御端Ｃが、第１０の抵抗Ｒ１０、第１１の抵抗Ｒ１１と、第２のＮＭＯＳトランジスタＮＭ２のソースと、第１のフォトダイオードＤ１の正極に接続され、
第６の抵抗Ｒ６と第１０の抵抗Ｒ１０の他端が第１のフォトダイオードＤ１の負極に接続され、第７の抵抗Ｒ７と第１１の抵抗Ｒ１１の他端が、第１２の抵抗Ｒ１２を介して、ＮＭＯＳトランジスタＮＭ１のゲートに接続され、第８の抵抗Ｒ８の他端が第２のＮＭＯＳトランジスタＮＭ２のドレインに接続され、第９の抵抗Ｒ９の他端が増幅器ＡＲ１の正相入力端＋に接続され、
第２のＮＭＯＳトランジスタＮＭ２のゲートが、第２のコンデンサＣ２を介して第１のフォトダイオードＤ１の負極に接続され、
第１のコンデンサＣ１が、第１１の抵抗Ｒ１１の両端に並列接続され、第３のコンデンサＣ３が第３の抵抗Ｒ３の両端に並列接続される。
【００４２】
図３に示すように、本発明の信号比較制御手段の第２の実施例は、判断モジュール３の電気信号及び／又は比較結果データを、受信し処理してから出力する信号出力装置４をさらに備える。
【００４３】
図４に示すように、本発明の信号比較制御手段の第３の実施例は、信号出力装置４が、電気信号出力モジュール５及びデータ出力モジュール６を備えており、それぞれ、前記判断モジュール３の電気信号及び／又は比較結果データを処理してから出力し、ここで、データ出力モジュール６は、Ｕ６（ＣＰＬＤ複合プログラマブル論理デバイス／ＦＰＧＡフィールドプログラマブルゲートアレイ／ＡＳＩＣカスタム集積回路／組合せ論理であり、以下同じである）を採用することができ、ここで、実施例において、前処理モジュール１は、前処理モジュール１の第１の実施例の前記構成を採用し、電気信号出力モジュール５は、電気信号出力モジュール５の第１の実施例の前記構成を採用する。
【００４４】
図５に示すように、本発明の電気信号出力モジュール５の第１の実施例は、ゲートが第１の抵抗Ｒ１を介して電気信号駆動端Ａｌａｒｍ  Ｏｕｔとされ、ドレインが第２の抵抗Ｒ２を介して電気信号入力端ＡＭＯ  ＮＯとされ、ソースが接地される第１のＮＭＯＳトランジスタＮＭ１を備える。
【００４５】
前記信号比較制御手段は、電気信号出力モジュール５とデータ出力モジュールとのうちのいずれかのみを備えてもよく、ここで重複に説明しない。
【００４６】
本発明の盗難防止警報手段は、固定領域の盗難防止警報のために用いられ、前記信号比較制御手段の実施例のいずれか一種を備えることができ、
図６に示すように、本発明の盗難防止警報手段の第１の実施例では、前記信号比較手段の第３種の実施例を備えており、
検知信号を発生するために用いられ、前記信号比較制御手段の比較モジュール２に接続され、比較モジュール２のために比較基準信号パラメータを提供することができる信号発生手段７と、
前記信号比較制御手段の前処理モジュール１に接続され、前記前処理モジュール１のために入力信号を提供し、且つ、前記信号発生手段７と組になって対応して設置され、検知信号を受信するために用いられる信号誘導手段８と
をさらに備えており、
ここで、前記の信号発生手段７と信号誘導手段８とが、前記固定領域の同じ側に位置しており、一つのメイン基板に集成して製造されることができる。
【００４７】
ここで、前記信号発生手段７の発射信号の同一平面内におけるカバー範囲が０度乃至３６０度であり、ここで、カバー範囲が０度乃至１８０度であることが好ましい。
【００４８】
ここで、前記の信号発生手段７と信号誘導手段８とが送信し及び受信することができる信号は、赤外線信号、レーザ光信号、マイクロ波信号、及び超音波信号の中のいずれか一種又は複数種である。
【００４９】
本発明の盗難防止警報手段は、少なくも２組設置され前記固定領域の同じ側に位置する信号発生手段７と信号誘導手段８とを備えることができ、２乃至６組の前記の信号発生手段７と信号誘導手段８とを有することが好ましい。
【００５０】
図７に示すように、信号発生手段７の第１の実施例は、正極が第１３の抵抗Ｒ１３と第４のコンデンサＣ４を介して接地され、負極が第３のＮＭＯＳトランジスタＮＭ３のドレインに接続される第１の発射フォトダイオードＬＥＤ１と、ゲートが第１４の抵抗Ｒ１４を介してＤＲ１に接続され、ソースが接地される第３のＮＭＯＳトランジスタＮＭ３とを備える。
【００５１】
図８に示すように、本発明の盗難防止警報手段の第２の実施例は、本発明の盗難防止警報手段の第１の実施例に対してその区別が、３組設置され前記固定領域の同じ側に位置する信号発生手段６と信号誘導手段７とを備えることにある。
【００５２】
且つ、３組の信号発生手段７と信号誘導手段８を設置することにより、検知信号パラメータの変化傾向により、侵入の発生方向を判断することができ、例えば、三つの信号誘導手段８の受信した検知信号は、順に強度の変化（衰弱／強化）、時間の変化（信号を受信した遅延の増加又は減少）、距離の変化及び温度の変化を発生する。判断モジュール３は、比較モジュール２が出力した比較結果の変化傾向に応じて侵入方向を判断することができる。
【００５３】
且つ、信号比較制御手段の判断モジュール３は、侵入方向に応じてトリガー条件を設置することができ、例えば、ある方向に侵入が発生しても警報せず、又はある方向に一回の侵入が発生する場合に警報せず、２回の侵入が発生した場合に警報するように設置される。
【００５４】
本発明の盗難防止警報手段は、侵入行為を、例えば、小鳥の侵入、戸や窓の邪魔、及び盗人の侵入など、いくつかのタイプに分けて、前記判断モジュールが予め設置された条件に応じて、さらに判別して、異なるレベルの警報信号を送信するようにしてもよい。このようにアクティブな検知を行って、送信及び受信した反射信号の差異を、詳細に比較することにより、小鳥の侵入、戸や窓の邪魔などの要素による誤報を忽略することができ、これによって、誤警報が顕著に低減されるようになる。
【００５５】
一種の無形電気柵は、少なくとも一つの前記いずれか一種の盗難防止警報手段を備えており、前記信号出力装置４に接続され、信号比較制御手段と、信号発生手段７と、信号誘導手段８とに接続され、信号出力装置４と信号比較制御手段と、信号発生手段７と、信号誘導手段８とを制御する制御処理モジュール９をさらに備えている。
【００５６】
図９に示すように、盗難防止警報手段の第２の実施例を備える無形電気柵を、本発明の無形電気柵の第１の実施例とし、制御処理モジュール９は、信号出力装置４に接続され、且つ、信号比較制御手段における前処理モジュール１、比較モジュール２及び判断モジュール３に接続され、信号発生手段７及び信号誘導手段８に接続され、信号比較制御手段と、信号発生手段７と、信号誘導手段８とを制御し、例えば、制御処理モジュール９は、前処理モジュール１の入力信号（即ち、信号誘導手段８が戻した検知信号を受信する）の前処理パラメータを制御することができ、比較モジュール２における基準信号パラメータの設定を制御することができ、判断モジュール３のトリガー条件を設定し及び、トリガー条件が満たされると判断モジュールの出力を強制的にオフすることができ、信号出力装置４が電気信号及び／又は比較結果データを出力するかどうかを制御することができ、信号発生手段７の送信した検知信号のタイプ及びパラメータを制御することができ、信号誘導手段８が戻った検知信号を受信するかどうかなどを制御することができる。
【００５７】
図１０に示すように、本発明の制御処理ブロックの一実施例はワンチップコンピュータＵ１（高速ｍｃｓ−５１系ワンチップコンピュータである）であり、その第６のポートＸＴ２及び第７のポートＸＴ１が、それぞれ、第５のコンデンサＣ５と第６のコンデンサＣ６とを介して接地され、且つ、水晶振動子ＣＹ１に接続され、その第３のポートＲＳＴが第１５の抵抗Ｒ１５を介して接地され、第７のコンデンサＣ７を介して電源電圧に接続される。
【００５８】
図１１に示すように、本発明の無形電気柵の第２の実施例は、前記制御処理モジュール９の制御信号を受信し、信号発生手段７が信号を発生するパラメータを調節することができる信号強化手段１０をさらに備える。
【００５９】
本発明の無形電気柵の第３の実施例は、無形電気柵の第２の実施例を発明した上に、前記固定領域の他側（前記盗難防止警報手段が取り付けられた位置に対向する位置）に設置され前記信号発生手段７の発生した検知信号を信号誘導手段８に反射することができる信号反射手段１１をさらに備えている。
【００６０】
信号反射手段１１の取り付け方式は、図１４、図１５に示す方式を採用することができ、ここで、信号発生手段７と向かい合う壁３０の位置が信号反射手段１１とされることができる。
【００６１】
ここで、図１４に示すように、信号発生手段７と信号誘導手段８は、別体の構造である。
【００６２】
図１５に示すように、信号発生手段７と信号誘導手段８とが、一つのメイン基板（プリント基板）に製造される。
【００６３】
図１２に示すように、本発明の無形電気柵の第４の実施例は、無形電気柵の第３の実施例を発明した上に、無形電気柵の各構成部分に給電するために用いられる太陽エネルギー給電手段１２をさらに備える。
【００６４】
図１３に示すように、本発明の無形電気柵の第５の実施例は、無形電気柵の第４の実施例を発明した上に、制御処理モジュール９の警報情報を表示することができる表示手段１３をさらに備える。
【００６５】
ここで、前記表示手段１３は、前記制御処理モジュール９と、無線通信で連通することもできる。
【００６６】
ここで、前記制御処理モジュール９は、前記信号出力装置４、信号比較制御手段、信号発生手段７及び信号誘導手段８と、無線通信で連通することもできる。
【００６７】
以上、具体な実施形態と実施例に基づいて本発明を詳細に説明したが、これは、本発明に対する制限を構成しない。本発明の原理から離脱しない場合に、当業者は、多くの変更及び改良を行うことができ、これらも、本発明の保護範囲と見なすべきである。
【符号の説明】
【００６８】
１  前処理モジュール
２  比較モジュール
３  判断モジュール
４  信号出力装置
５  電気信号出力モジュール
６  データ出力モジュール
７  信号発生手段
８  信号誘導手段
９  制御処理モジュール
１０  信号強化手段
１１  信号反射手段
１２  太陽エネルギー給電手段
１３  表示手段
３０  壁
４０  ２つの対向する壁３０間の領域
Ｒ１−Ｒ１５  抵抗
Ｃ１−Ｃ７  コンデンサ
ＡＲ１  増幅器
Ａ  ＡＲ１の出力端
Ｂ  ＡＲ１の第１の制御端
Ｃ  ＡＲ１の第２の制御端
Ｄ１  フォトダイオード
ＬＥＤ１  発射フォトダイオード
ＮＭ１−ＮＭ３  ＮＭＯＳトランジスタ
ＣＹ１  水晶振動子
ＲＣ１  前処理モジュールの出力端
ＤＲ１  駆動端
ＧＮＤ  地
Ａｌａｒｍ  Ｏｕｔ  電気信号駆動
ＡＭＯ  ＮＯ  電気信号出力端
Ｕ１  ワンチップコンピュータ
ＲＳＴ  Ｕ１のリセット入力ポート
ＸＴ２  Ｕ１の水晶振動子インターフェース
ＸＴ１  Ｕ１の水晶振動子インターフェース
ＶＣＣ１、ＶＣＣ  電源電圧
【図１】
2016505182.tif 000003
【図２】
2016505182.tif 000004
【図３】
2016505182.tif 000005
【図４】
2016505182.tif 000006
【図５】
2016505182.tif 000007
【図６】
2016505182.tif 000008
【図７】
2016505182.tif 000009
【図８】
2016505182.tif 000010
【図９】
2016505182.tif 000011
【図１０】
2016505182.tif 000012
【図１１】
2016505182.tif 000013
【図１２】
2016505182.tif 000014
【図１３】
2016505182.tif 000015
【図１４】
2016505182.tif 000016
【図１５】
2016505182.tif 000017
【国際調査報告】
2016505182.tif 000018
2016505182.tif 000019
2016505182.tif 000020
2016505182.tif 000021
2016505182.tif 000022